(57)【要約】【課題】被写体の状態によらず高精度な調光制御を行うことができる撮像装置を得る。【解決手段】各々被写体からの光量を互いに異なる条件によって検出するための２つの調光センサ３０、３２を備えておき、撮像時の周囲の光量不足を補うためのストロボ４４を発光するとき、被写体の状態を示す状態情報に応じて上記２つの調光センサ３０、３２から適用する調光センサを選択し、ストロボ４４の発光時に、選択された調光センサによる検出結果に基づく光量が被写体の明るさに応じて設定された調光レベルに達したか否かを判断し、調光レベルに達したと判断されたときにストロボ４４の発光を停止させる。【選択図】  図１
2004222024.tif 000002
【特許請求の範囲】
【請求項１】
撮像時の周囲の光量不足を補うためのストロボと、
各々被写体からの光量を互いに異なる条件によって検出するための複数の検出手段と、
前記被写体の状態を示す状態情報を取得する取得手段と、
前記ストロボを発光するとき、前記状態情報に応じて前記複数の検出手段から適用する検出手段を選択する選択手段と、
前記ストロボの発光時に、前記選択手段により選択された検出手段による検出結果に基づく光量が所定レベルに達したか否かを判断する判断手段と、
前記判断手段により前記光量が所定レベルに達したと判断されたとき、前記ストロボの発光を停止させる発光停止手段と、
を備えた撮像装置。
【請求項２】
前記撮像の感度を示す感度情報を入力するための感度入力手段をさらに備え、
前記複数の検出手段は、各々互いに光量の検出感度が異なり、
前記選択手段は、適用する前記検出手段を前記感度情報に応じて選択する
請求項１に記載の撮像装置。
【請求項３】
前記被写体の拡大倍率を変更するためのズームレンズをさらに備え、
前記複数の検出手段は、各々互いに検出可能な角度範囲が異なり、
前記選択手段は、適用する前記検出手段を前記拡大倍率に応じて選択する
請求項１に記載の撮像装置。
【請求項４】
前記被写体までの距離を計測する距離計測手段をさらに備え、
前記複数の検出手段は、各々互いに検出可能な方向が異なり、
前記選択手段は、適用する前記検出手段を前記距離に応じて選択する
請求項１に記載の撮像装置。
【発明の詳細な説明】
【０００１】
【発明の属する技術分野】
本発明は、撮像装置に係り、特に、ストロボの発光状態を制御できる撮像装置に関する。
【０００２】
【従来の技術】
近年、ＣＣＤ（Ｃｈａｒｇｅ  Ｃｏｕｐｌｅｄ  Ｄｅｖｉｃｅ、電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージ・センサ等の撮像素子の高解像度化に伴い、デジタルカメラの需要が急増している。
【０００３】
ところで、このようなデジタルカメラや、銀塩写真式のカメラ等の撮像装置では、被写体が暗い場合に対処するためにストロボを内蔵したものが多く、この種の撮像装置では、ストロボの発光量を被写体の明るさに応じた適切なものに調整するための制御（以下、「調光制御」という。）を高精度に行うために様々な工夫が施されている。
【０００４】
このための一般的な技術として、従来、ストロボ発光時における被写体からの反射光を検出するための調光センサを設けると共に、カメラの外装部に当該調光センサの受光領域に被写体からの光を案内するための覗き窓を設けておき、ストロボ発光時に被写体からの反射光を当該調光センサで受光して受光光量を積分していき、これが適正なレベルとなった時点でストロボの発光を停止する技術があった。
【０００５】
しかしながら、この技術では、撮影される被写体の範囲（以下、「撮影範囲」という。）と、被写体からの光が覗き窓に入射される被写体の範囲（以下、「調光範囲」という。）とが異なる場合があり、高精度な調光制御が行えない、という問題点があった。
【０００６】
この問題点を解決するために、従来、レンズへの入射光を選択的に調光素子に入射させることで実撮影の光学系を利用し、撮影時の画角に対して調光制御を行う技術があった（例えば、特許文献１参照。）。
【０００７】
【特許文献１】
特許第２９７０９０３号公報
【０００８】
【発明が解決しようとする課題】
ところで、上述したような調光センサを用いてストロボの調光制御を行う技術では、被写体の状態によっては調光センサによる反射光の検出精度が十分でなく、高精度な調光制御ができない、という問題点があった。
【０００９】
例えば、被写体からの反射光が少ない場合に対処するために、少ない受光光量でも十分な出力が得られる調光センサを適用した場合、被写体からの反射光が比較的多いときには調光センサの出力が飽和してしまうことがあり、この場合、高精度な調光制御を行うことができない。
【００１０】
また、例えば、上述したように、カメラの外装部に上記覗き窓を設け、当該覗き窓を介した受光光量に応じて調光制御を行う（以下、「外装受光型調光制御」という。）場合、撮影範囲は被写体のズーム倍率によって変化するのに対し、調光範囲は常に一定の範囲であり、ズーム倍率によっては撮影範囲と調光範囲とが異なり、この場合、高精度な調光制御を行うことができない。
【００１１】
さらに、例えば、上記外装受光型調光制御を行う場合、被写体までの距離によっては撮影範囲と調光範囲との差（所謂パララックス）が大きくなり、この場合、高精度な調光制御を行うことができない。
【００１２】
これらのような被写体の状態の相違に起因して発生する調光制御の高精度化が困難であるという問題点に関しては、前述の特許文献１の技術は無力である。
【００１３】
本発明は、上記問題点を解決するためになされたものであり、被写体の状態によらず高精度な調光制御を行うことができる撮像装置を提供することを目的とする。
【００１４】
【課題を解決するための手段】
上記目的を達成するために、請求項１に記載の発明は、撮像時の周囲の光量不足を補うためのストロボと、各々被写体からの光量を互いに異なる条件によって検出するための複数の検出手段と、前記被写体の状態を示す状態情報を取得する取得手段と、前記ストロボを発光するとき、前記状態情報に応じて前記複数の検出手段から適用する検出手段を選択する選択手段と、前記ストロボの発光時に、前記選択手段により選択された検出手段による検出結果に基づく光量が所定レベルに達したか否かを判断する判断手段と、前記判断手段により前記光量が所定レベルに達したと判断されたとき、前記ストロボの発光を停止させる発光停止手段と、を備えている。
【００１５】
請求項１に記載の発明によれば、撮像時の周囲の光量不足がストロボにより補われる。このため、撮像時に周囲の光量が不足している場合であっても被写体を撮像できる。
【００１６】
ここで、本発明には、各々互いに異なる条件によって被写体からの光量を検出するための複数の検出手段が備えられており、本発明では、被写体の状態を示す状態情報が取得手段により取得され、ストロボが発光されるとき、選択手段により上記状態情報に応じて上記複数の検出手段から適用する検出手段が選択される。これにより、被写体の状態に応じた条件によって被写体からの光量を検出することができる。なお、上記検出手段には、フォトダイオード、フォトトランジスタ等の光電変換素子を含めることができる。
【００１７】
また、本発明では、ストロボの発光時に、選択手段により選択された検出手段による検出結果に基づく光量が所定レベルに達したか否かが判断手段により判断され、当該光量が所定レベルに達したと判断されたとき、発光停止手段によりストロボの発光が停止される。したがって、被写体からの光量が適正な所定レベルに調光されて撮像することができる。
【００１８】
このように、請求項１に記載の撮像装置によれば、各々被写体からの光量を互いに異なる条件によって検出するための複数の検出手段を備えておき、撮像時の周囲の光量不足を補うためのストロボを発光するとき、被写体の状態を示す状態情報に応じて上記複数の検出手段から適用する検出手段を選択し、ストロボの発光時に、選択された検出手段による検出結果に基づく光量が所定レベルに達したか否かを判断し、所定レベルに達したと判断されたときにストロボの発光を停止させるようにしているので、被写体の状態によらず高精度な調光制御を行うことができる。
【００１９】
また、請求項２に記載の発明は、請求項１記載の発明において、前記撮像の感度を示す感度情報を入力するための感度入力手段をさらに備え、前記複数の検出手段は、各々互いに光量の検出感度が異なり、前記選択手段は、適用する前記検出手段を前記感度情報に応じて選択するものである。
【００２０】
請求項２に記載の発明によれば、撮像の感度（所謂ＩＳＯ感度）を示す感度情報が感度入力手段により入力され、ストロボを発光するとき、選択手段により、適用する検出手段が上記感度情報に応じて、各々互いに光量の検出感度が異なる複数の検出手段から選択される。これにより、被写体からの光量のレベルに応じた好適な検出感度の検出手段を適用して調光制御を行うことができるので、被写体の明るさの状態によらず高精度な調光制御を行うことができる。
【００２１】
また、請求項３に記載の発明は、請求項１記載の発明において、前記被写体の拡大倍率を変更するためのズームレンズをさらに備え、前記複数の検出手段は、各々互いに検出可能な角度範囲が異なり、前記選択手段は、適用する前記検出手段を前記拡大倍率に応じて選択するものである。
【００２２】
請求項３に記載の発明によれば、被写体の拡大倍率がズームレンズにより変更され、ストロボを発光するとき、選択手段により、適用する検出手段が上記拡大倍率に応じて、各々互いに検出可能な角度範囲が異なる複数の検出手段から選択される。これにより、被写体の拡大倍率によって変化する撮影範囲に応じた好適な検出可能角度範囲の検出手段を適用することができるので、被写体の拡大倍率の状態によらず高精度な調光制御を行うことができる。
【００２３】
更に、請求項４に記載の発明は、請求項１記載の発明において、前記被写体までの距離を計測する距離計測手段をさらに備え、前記複数の検出手段は、各々互いに検出可能な方向が異なり、前記選択手段は、適用する前記検出手段を前記距離に応じて選択するものである。
【００２４】
請求項４に記載の発明によれば、被写体までの距離が距離計測手段により計測され、ストロボを発光するとき、選択手段により、適用する検出手段が上記被写体までの距離に応じて、各々互いに検出可能な方向が異なる複数の検出手段から選択される。これにより、被写体までの距離によって変化する撮影範囲に応じた好適な検出可能方向の検出手段を適用することができるので、被写体までの距離の状態によらず高精度な調光制御を行うことができる。
【００２５】
【発明の実施の形態】
以下、図面を参照して、本発明の実施の形態について詳細に説明する。なお、以下では、本発明をデジタルカメラに適用した場合について説明する。
【００２６】
（第１の実施の形態）
まず、図１を参照して、本実施の形態に係るデジタルカメラ１０の構成を説明する。同図に示されるように、このデジタルカメラ１０には、被写体像を結像させるためのレンズ１２と、被写体像を撮像するためのＣＣＤ５６と、撮像時の周囲の光量不足を補うためのストロボ４４と、ストロボ４４の発光に必要な電力を供給するための電源部５０と、が備えられている。
【００２７】
また、デジタルカメラ１０には、デジタルカメラ１０全体の動作を司る制御部５４が備えられている。また、上記レンズ１２は、ズームレンズ及びフォーカスレンズを含む複数枚のレンズを有し、焦点距離の変更が可能であり、被写体の拡大ないし縮小が可能なものとして構成されている。
【００２８】
また、デジタルカメラ１０には、上記ズームレンズの光軸方向位置を変更するズーム駆動部１４と、当該ズームレンズの光軸方向位置を検出するズーム位置検出部２２と、上記フォーカスレンズの光軸方向位置を変更するフォーカス駆動部１６と、当該フォーカスレンズの光軸方向位置を検出するフォーカス位置検出部２４と、が備えられている。これら各部は制御部５４に接続されており、ズームレンズ及びフォーカスレンズの光軸方向位置は、各々、ズーム駆動部１４及びフォーカス駆動部１６に備えられた駆動用のモータ（図示省略）を介して制御部５４により制御される。
【００２９】
なお、デジタルカメラ１０では、レンズ１２によりＣＣＤ５６の受光面に結像された被写体像を示す画像データが当該ＣＣＤ５６により取得されて制御部５４に入力され、当該画像データによって示される被写体像のコントラストが最大となるようにフォーカスレンズの位置を設定する、所謂ＴＴＬ（Ｔｈｒｏｕｇｈ  Ｔｈｅ  Ｌｅｎｓ）方式により合焦制御（所謂ＡＦ制御）を行う。
【００３０】
すなわち、制御部５４では、ズーム位置検出部２２からの出力によりズームレンズの位置を把握しつつユーザにより設定された倍率に応じてズーム駆動部１４を駆動することで光学ズーム倍率の変更を行う。また、制御部５４では、フォーカス位置検出部２４からの出力によりフォーカスレンズの位置を把握しつつフォーカス駆動部１６を駆動することで合焦制御を行う。
【００３１】
また、デジタルカメラ１０では、ＣＣＤ５６により取得された画像データによって示される被写体像の明るさに応じてシャッタスピード及び絞りの状態を設定するＴＴＬ方式により露出制御（所謂ＡＥ制御）を行う。
【００３２】
すなわち、デジタルカメラ１０には、絞り駆動部１８及びシャッタ駆動部２０が備えられており、これらは制御部５４に接続されている。そして、露出制御を行う際に制御部５４は、被写体像の明るさに応じて絞り駆動部１８及びシャッタ駆動部２０の駆動を制御する。
【００３３】
また、デジタルカメラ１０には、撮影を実行する際にユーザによって押圧操作されるレリーズボタン（以下、「シャッタスイッチ」という。）を含む操作部５２が備えられており、操作部５２の操作状態は制御部５４により常時把握することができる。
【００３４】
本実施の形態に係るデジタルカメラ１０では、ＣＣＤ５６による撮像の感度として、ＩＳＯ感度が設定可能とされており、ＩＳＯ感度の設定は、ユーザによる操作部５２の操作により行われるようになっている。
【００３５】
なお、本実施の形態に係るシャッタスイッチは、中間位置まで押下される状態（以下、「半押し状態」という。）と、当該中間位置を超えた最終押下位置（以下、「全押し状態」という。）と、の２段階の押圧操作が検出可能に構成されている。
【００３６】
一方、デジタルカメラ１０には、ストロボ４４と制御部５４との間に介在されると共に、制御部５４の制御に応じてストロボ４４の発光を開始させるためのトリガ信号を生成するトリガ部４２と、ストロボ４４の充電電荷を蓄積するメインコンデンサ４６と、電源部５０で生成された電圧をメインコンデンサ４６における充電レベルまで昇圧してメインコンデンサ４６を充電する昇圧充電部４８と、オン・オフされることによりメインコンデンサ４６からストロボ４４に供給される光電流を通電又は遮断するスイッチ部４０と、が設けられており、ストロボ４４は、スイッチ部４０がオンされているときにトリガ部４２によりトリガ信号が印加されると発光を開始し、その後、スイッチ部４０がオフされることにより発光を停止する。
【００３７】
また、デジタルカメラ１０には、被写体からの受光光量を積分して被写体からの光量を取得する積分器３６と、当該被写体の光量が予め設定された所定レベル（以下、「調光レベル」という。）に達したか否かを判定するレベル判定部３４と、制御部５４の制御に応じてレベル判定部３４に上記調光レベルを設定する電気ボリューム（以下、「ＥＶＲ」という。）２６と、レベル判定部３４による判定結果に応じてスイッチ部４０をオフさせるタイミングを判定し、この判定結果に応じてスイッチ部４０のオフ状態への切り替えを行う調光判定部３８と、が設けられている。
【００３８】
なお、制御部５４は、トリガ部４２によるストロボ４４へのトリガ信号の印加の直前に、積分器３６における積分レベルのリセット及びスイッチ部４０のオン状態への切り替え動作を行う。このため、積分器３６及びスイッチ部４０には制御部５４が接続されているが、図１では、錯綜を回避するために、これらの接続線の図示を省略する。
【００３９】
一方、本実施の形態に係るデジタルカメラ１０は、被写体からの光量を検出するために、受光感度が互いに異なるフォトダイオードにより構成された調光センサ３０及び調光センサ３２を備えている。以下、これらのうち、受光感度の低い方の調光センサ３０を低感度調光センサ３０とし、受光感度の高い方の調光センサ３２を高感度調光センサ３２として説明する。
【００４０】
さらに、デジタルカメラ１０には、低感度調光センサ３０及び高感度調光センサ３２からの受光光量を示す受光信号がそれぞれ入力されると共に、何れか一方の調光センサからの受光信号を選択的に積分器３６に出力するセレクタ２８が備えられている。当該セレクタ２８も制御部５４に接続されており、制御部５４では、調光制御を行うために適用する調光センサを低感度調光センサ３０及び高感度調光センサ３２から選択し、選択した調光センサからの受光信号が積分器３６に出力されるようにセレクタ２８の入出力状態を設定する。
【００４１】
ここで、本実施の形態に係るデジタルカメラ１０で行われる調光制御について詳細に説明する。
【００４２】
ストロボ４４の発光開始からの経過時間に対する発光量は、一例として図２（Ａ）に示すように、発光開始後にピークを迎え、その後、時間の経過と共に徐々に低下するものとなる。一方、このときの被写体からの受光光量の積分レベルは、一例として図２（Ｂ）に示すように、時間の経過と共にストロボ４４の発光量に応じて徐々に増加することになる。
【００４３】
そこで、本実施の形態に係るデジタルカメラ１０では、被写体の明るさに応じた調光レベルを図２（Ｂ）に示すように予め設定しておき、積分器３６による被写体からの受光光量の積分レベルが当該調光レベルに達したとき（図２の点線で示すタイミングに相当。）、ストロボ４４の発光を停止するようにしている。これにより、ストロボ４４の発光量を被写体の明るさに応じた適切なものとすることのできる調光制御が実現できる。
【００４４】
ここで、この調光制御を高精度に行うためには、被写体からの受光光量を高精度に検出することが必要であり、本実施の形態では、被写体の明るさに応じて低感度調光センサ３０又は高感度調光センサ３２を選択的に適用することにより、被写体の明るさにかかわらず被写体からの受光光量を高精度に検出できるようにしている。
【００４５】
なお、本実施の形態に係るデジタルカメラ１０では、調光センサの選択基準とする被写体の明るさをユーザによって設定されたＩＳＯ感度を利用して判断するようにしている。すなわち、ＩＳＯ感度が所定感度（例えば、‘４００’）以上である場合には被写体が所定レベル以上に暗いものと判断して、高感度調光センサ３２を適用するようにし、ＩＳＯ感度が所定感度未満である場合には被写体が上記所定レベルより明るいものと判断して、低感度調光センサ３０を適用するようにしている。
【００４６】
従って、デジタルカメラ１０では、低感度調光センサ３０及び高感度調光センサ３２の各々の受光感度として、上記所定感度を閾値として判断された被写体の明るさに応じた好適な感度（例えば、当該被写体の明るさの最大レベルを受光信号の最大レベルに一致又は略一致させることのできる感度等。）を適用している。
【００４７】
以下、本実施の形態に係るデジタルカメラ１０の作用を説明する。本実施の形態に係るデジタルカメラ１０では、ユーザが被写体を撮影するために操作部５２のシャッタスイッチを半押し状態にすると、撮影処理が実行される。
【００４８】
図３は、当該撮影処理の実行時に制御部５４により実行される撮影処理プログラムの処理の流れを示すフローチャートであり、以下、同図を参照して本実施の形態に係る撮影処理について説明する。なお、ここでは、ＣＣＤ５６による撮像のＩＳＯ感度がユーザによって予め設定されているものとして説明する。
【００４９】
まず、ステップ１００では、ＡＦ制御及びＡＥ制御を行って、被写体に焦点を合わせると共に、絞りの開口状態及びシャッタスピードを決定し、次のステップ１０４では、シャッタスイッチが全押し状態に移行したか否かを判定し、否定判定である場合はステップ１０６に移行して、シャッタスイッチがオフされたか否かを判定する。そして、ステップ１０６で肯定判定された場合は本撮影処理を終了する一方、ステップ１０６で否定判定された場合はステップ１０４に戻る。
【００５０】
一方、ステップ１０４で肯定判定された場合は、ユーザにより撮影を行う旨が指示されたものと見なしてステップ１０８に移行し、ストロボを発光させる必要があるか否かを判定する。そして、ステップ１０８で否定判定となった場合は、ステップ１３８に移行してストロボ４４の発光を行わない通常の撮影を行った後に本撮影処理を終了する。
【００５１】
一方、上記ステップ１０８で肯定判定された場合にはステップ１１０に移行し、ユーザにより予め設定されたＣＣＤ５６による撮像の感度（ＩＳＯ感度）が上述した所定感度以上であったか否かを判定し、肯定判定となった場合は被写体が上述した所定レベル以上に暗い状態での撮影であると見なしてステップ１１２に移行し、セレクタ２８に対して高感度調光センサ３２からの受光信号を積分器３６に出力するように設定した後、ステップ１３２に移行する。
【００５２】
一方、上記ステップ１１０で否定判定となった場合は、被写体が上述した所定レベルより明るい状態での撮影であると見なしてステップ１１４に移行し、セレクタ２８に対して低感度調光センサ３０からの受光信号を積分器３６に出力するように設定した後、ステップ１３２に移行する。
【００５３】
ステップ１３２では、ＡＥ制御を行うに際して取得した被写体の明るさに応じたレベルで、かつ上記ステップ１１２又はステップ１１４の処理によって選択された調光センサからの受光信号レベルに応じたレベルである調光レベルをレベル判定部３４にＥＶＲ２６を介して設定する。
【００５４】
次のステップ１３４では、積分器３６における積分レベルをリセットすると共に、スイッチ部４０をオン状態に切り替え、その後にステップ１３６に移行し、トリガ部４２に対してトリガ信号を生成するように制御することによって、ストロボ４４の発光を開始させる。
【００５５】
これにより、選択された調光センサからの受光信号によって示される受光光量の積分器３６による積分が開始されると共に、ストロボ４４の発光が開始される。
【００５６】
そして、積分器３６による積分レベルが上記ステップ１３２の処理によって予め設定された調光レベルに達したか否かがレベル判定部３４により判定され、調光レベルに達したと判定された時点で調光判定部３８によりスイッチ部４０のオフ状態への切り替えが行われる。
【００５７】
このような積分器３６、レベル判定部３４及び調光判定部３８の作用により、被写体からの光量が適正なレベルに達した状態でストロボ４４の発光が停止される。
【００５８】
そこで、次のステップ１４０では、以上のようなストロボ４４の発光動作時において、上記ステップ１００の処理によって決定された露出状態にてＣＣＤ５６により取得された被写体像を示す画像データを図示しない記録メディア等に記憶することにより撮影を行い、その後に本撮影処理を終了する。
【００５９】
以上詳細に説明したように、本実施の形態に係るデジタルカメラ１０によれば、各々被写体からの光量を互いに異なる条件によって検出するための２つの調光センサを備えておき、撮像時の周囲の光量不足を補うためのストロボを発光するとき、被写体の状態を示す状態情報に応じて上記２つの調光センサから適用する調光センサを選択し、ストロボの発光時に、選択された調光センサによる検出結果に基づく光量が調光レベルに達したか否かを判断し、調光レベルに達したと判断されたときにストロボの発光を停止させるようにしているので、被写体の状態によらず高精度な調光制御を行うことができる。
【００６０】
特に、本実施の形態のデジタルカメラ１０では、上記２つの調光センサを互いに光量の検出感度が異なるものにすると共に、上記被写体の状態を示す状態情報として被写体の明るさを示すＩＳＯ感度を適用し、当該被写体の明るさに応じて調光センサを選択的に用いているので、被写体の明るさの状態によらず、高精度な調光制御を行うことができる。
【００６１】
（第２の実施の形態）
本第２の実施の形態では、調光制御を高精度に行うために、被写体からの光量を検出するための調光センサとして、各々互いに検出可能な角度範囲が異なる複数の調光センサを適用する形態について説明する。
【００６２】
図４には、本第２の実施の形態に係るデジタルカメラ１０Ｂの構成が示されている。なお、デジタルカメラ１０Ｂは、その構成が上記第１の実施の形態に係るデジタルカメラ１０（図１参照。）とほぼ同様であるので、同一の構成要素には同一の符号を付して、その説明を省略する。
【００６３】
同図に示すように、本実施の形態に係るデジタルカメラ１０Ｂは、低感度調光センサ３０及び高感度調光センサ３２に代えて、被写体からの光量の検出角度が各々互いに異なる調光センサ６０、６２が備えられている点のみが第１の実施の形態に係るデジタルカメラ１０と異なっている。
【００６４】
図５に示されるように、調光センサ６０、６２は、入射光を受光する受光部６４を有するフォトダイオードにより構成された検出素子６６と、受光部６４に入射させる光の入射角度を制限するための正面視円形の開口部６７が設けられたガイド板６８と、を備えている。
【００６５】
同図に示すように、開口部６７の直径をＸ、開口部６７と受光部６４の受光面との間の距離をＹとすると、受光部６４の受光面に入射される光の検出角度Ｚは、直径Ｘが大きくなるほど大きくなり、距離Ｙが大きくなるほど小さくなる。
【００６６】
本実施の形態では、距離Ｙが、調光センサ６０より調光センサ６２のほうが大きくされており、したがって、検出角度Ｚは、調光センサ６０より調光センサ６２のほうが小さくされている。以下、調光センサ６０を大検出角調光センサ６０とし、調光センサ６２を小検出角調光センサ６２として説明する。
【００６７】
なお、セレクタ２８では、大検出角調光センサ６０及び小検出角調光センサ６２による受光光量を示す受光信号がそれぞれ入力され、何れか一方の調光センサからの受光信号を選択的に積分器３６に出力する。
【００６８】
ここで、本実施の形態に係るデジタルカメラ１０Ｂで行われる調光制御について説明する。
【００６９】
本実施の形態に係るデジタルカメラ１０Ｂは、ユーザによる操作部５２の操作に応じて光学ズーム倍率を変更することができるが、光学ズーム倍率を変更すると、被写体に対する撮影範囲が変化する。
【００７０】
そこで、本実施の形態では、調光制御を高精度に行うために、調光制御で適用する調光センサを、設定されている光学ズーム倍率に応じて大検出角調光センサ６０及び小検出角調光センサ６２から選択するようにしている。具体的には、光学ズーム倍率が所定倍率以上である場合には、検出角度Ｚが小さい方の小検出角調光センサ６２を適用するようにし、光学ズーム倍率が上記所定倍率未満である場合には、検出角度Ｚが大きい方の大検出角調光センサ６０を適用するようにしている。これにより、被写体に対する撮影範囲と調光センサによる受光範囲とが一致される方向に作用させることができ、この結果として高精度な調光制御を行うことができる。
【００７１】
従って、デジタルカメラ１０Ｂでは、大検出角調光センサ６０及び小検出角調光センサ６２の各々の検出角度Ｚとして、上記所定倍率を閾値としたときの光学ズーム倍率の範囲に応じた好適な検出角度（例えば、当該光学ズーム倍率の範囲における最大倍率設定時における被写体の撮影範囲に対応する検出角度等。）を適用して、各調光センサの各部の寸法が規定されている。
【００７２】
以下、本実施の形態に係るデジタルカメラ１０Ｂの作用を説明する。
【００７３】
図６は、本第２の実施の形態に係る撮影処理の実行時に制御部５４により実行される撮影処理プログラムの処理の流れを示すフローチャートであり、以下、同図を参照してデジタルカメラ１０Ｂの撮影処理について説明する。なお、同図の図３に示したフローチャートと同一の処理を行うステップについては同一のステップ番号を付してその説明を省略する。また、ここでは、当該撮影処理の実行前に、予め光学ズーム倍率が決定されている場合について説明する。
【００７４】
ユーザによりシャッタスイッチが半押し状態から全押し状態に移行されるとステップ１１６では、この時点で決定されている光学ズーム倍率が上述した所定倍率以上であったか否かを判定し、肯定判定となった場合はステップ１１８に移行し、セレクタ２８に対して小検出角調光センサ６２からの受光信号を積分器３６に出力するように設定した後、ステップ１３２を実行する。
【００７５】
一方、上記ステップ１１６で否定判定となった場合はステップ１２０に移行してセレクタ２８に対して大検出角調光センサ６０からの受光信号を積分器３６に出力するように設定した後、ステップ１３２を実行する。
【００７６】
以上詳細に説明したように、本実施の形態に係るデジタルカメラ１０Ｂによれば、各々被写体からの光量を互いに異なる条件によって検出するための２つの調光センサを備えておき、撮像時の周囲の光量不足を補うためのストロボを発光するとき、被写体の状態を示す状態情報に応じて上記２つの調光センサから適用する調光センサを選択し、ストロボの発光時に、選択された調光センサによる検出結果に基づく光量が調光レベルに達したか否かを判断し、調光レベルに達したと判断されたときにストロボの発光を停止させるようにしているので、被写体の状態によらず高精度な調光制御を行うことができる。
【００７７】
特に、本実施の形態のデジタルカメラ１０では、上記２つの調光センサを互いに検出可能な角度範囲が異なるものにすると共に、上記被写体の状態を示す状態情報として光学ズーム倍率（本発明の「拡大倍率」に相当）を適用し、当該光学ズーム倍率に応じて調光センサを選択的に用いているので、被写体の光学ズーム倍率の状態によらず、高精度な調光制御を行うことができる。
【００７８】
なお、本第２の実施の形態では、大検出角調光センサ６０と小検出角調光センサ６２とを、距離Ｙを異ならせることにより検出角度Ｚを異ならせていたが、本発明はこれに限定されるものではない。上述したように、検出角度Ｚは直径Ｘが大きくなるほど大きくなるので、例えば図７（Ａ）及び（Ｂ）に示すように、開口部６７の直径Ｘのみを異ならせることで検出角度Ｗを異ならせてもよい。また、大検出角調光センサ６０と、小検出角調光センサ６２とを、距離Ｙ及び直径Ｘの双方を異ならせることにより検出角度Ｚを異ならせてもよい。
【００７９】
（第３の実施の形態）
本第３の実施の形態では、調光制御を高精度に行うために、被写体からの光量を検出するための調光センサとして、各々互いに検出可能な方向が異なる複数の調光センサを適用する形態について説明する。
【００８０】
図８には、本第３の実施の形態に係るデジタルカメラ１０Ｃの構成が示されている。なお、デジタルカメラ１０Ｃは、その構成が上記第１の実施の形態に係るデジタルカメラ１０（図１参照。）とほぼ同様であるので、同一の構成要素には同一の符号を付して、その説明を省略する。
【００８１】
同図に示すように、本実施の形態に係るデジタルカメラ１０Ｃは、低感度調光センサ３０及び高感度調光センサ３２に代えて、被写体からの光量の検出方向が各々互いに異なる調光センサ７０、７２が備えられている点のみが第１の実施の形態に係るデジタルカメラ１０と異なっている。
【００８２】
図９に示されるように、調光センサ７０、７２は、入射光を受光する受光部７４を有するフォトダイオードにより構成された検出素子７６と、受光部７４に入射させる光の入射方向を規定するための正面視円形の開口部７７が設けられたガイド板７８と、を備えている。
【００８３】
調光センサ７０と調光センサ７２とは、ガイド板７８に設けられた開口部７７の配設位置に対する検出素子７６の位置が互いに異なるものとされており、調光センサ７０が、開口部７７の中心に受光部７４の中心が一致されるように検出素子７６が配置されているのに対し、調光センサ７２は、開口部７７の中心から受光部７４の中心が所定方向にずれた状態となるように検出素子７６が配置されている。
【００８４】
このため、調光センサ７０の光の検出方向は検出素子７６の正面方向であり、調光センサ７２の光の検出方向は、検出素子７６のずれた分だけ調光センサ７０の検出方向よりも上記所定方向に偏っている。以下、調光センサ７０を遠距離用調光センサ７０とし、調光センサ７２を近距離用調光センサ７２として説明する。
【００８５】
なお、セレクタ２８では、遠距離用調光センサ７０及び近距離用調光センサ７２による受光光量を示す受光信号がそれぞれ入力され、何れか一方の調光センサからの受光信号を選択的に積分器３６に出力する。
【００８６】
ここで、本実施の形態に係るデジタルカメラ１０Ｃで行われる調光制御について説明する。
【００８７】
本実施の形態に係るデジタルカメラ１０Ｃでは、レンズ１２と調光センサとが異なる位置に設けられているため、被写体までの距離によっては当該被写体に対する撮影範囲と調光対象とする範囲とが大きく異なってしまう場合があり、この場合は高精度な調光制御を行うことができない。また、当該撮影範囲と調光対象とする範囲の差は、被写体までの距離が小さいほど大きくなる傾向にある。
【００８８】
そこで、本実施の形態では、調光制御を高精度に行うために、調光制御で適用する調光センサを、被写体までの距離に応じて遠距離用調光センサ７０及び近距離用調光センサ７２から選択するようにしている。具体的には、被写体までの距離が所定距離以上である場合には遠距離用調光センサ７０を適用するようにし、被写体までの距離が上記所定距離未満である場合には近距離用調光センサ７２を適用するようにしている。これにより、被写体に対する撮影範囲と調光センサによる受光範囲とが一致される方向に作用させることができ、この結果として高精度な調光制御を行うことができる。
【００８９】
従って、デジタルカメラ１０Ｃでは、近距離用調光センサ７２における開口部７７の中心と受光部７４の中心との間のずれ量として、上記所定距離を閾値としたときの被写体までの距離の範囲に応じた好適なずれ量（例えば、当該被写体までの距離の範囲の最大距離（又は最小距離）における被写体の撮影範囲に対応するずれ量等。）を適用して、当該ずれ量となるように各調光センサの各部の寸法が規定されている。
【００９０】
また、レンズ１２に対する近距離用調光センサ７２の配設方向に、開口部７７の中心に対する受光部７４の中心のずれ方向が一致するように近距離用調光センサ７２を設置する。
【００９１】
以下、本実施の形態に係るデジタルカメラ１０Ｃの作用を説明する。
【００９２】
図１０は、本第３の実施の形態に係る撮影処理の実行時に制御部５４により実行される撮影処理プログラムの処理の流れを示すフローチャートであり、以下、同図を参照してデジタルカメラ１０Ｃの撮影処理について説明する。なお、同図の図３に示したフローチャートと同一の処理を行うステップについては同一のステップ番号を付してその説明を省略する。
【００９３】
ユーザによりシャッタスイッチが半押し状態から全押し状態に移行されるとステップ１２２では、上記ステップ１００の処理によって最終的に合焦位置に位置決めされた不図示のフォーカスレンズの位置に基づいて被写体までの距離を導出する。すなわち、デジタルカメラ１０Ｃでは、合焦後のフォーカスレンズの位置と被写体までの距離との関係を示すテーブルが不図示のメモリに予め記憶されており、当該テーブルを参照することによって被写体までの距離が導出できるものとされている。但し、この形態に限らず、デジタルカメラに測距センサを設けておき、これを用いて被写体までの距離を検出するようにしてもよい。
【００９４】
次のステップ１２４では、上記ステップ１２２の処理によって導出された被写体までの距離が上述した所定距離以上であったか否かを判定し、肯定判定となった場合はステップ１２６に移行し、セレクタ２８に対して遠距離用調光センサ７０からの受光信号を積分器３６に出力するように設定した後、ステップ１３２を実行する。
【００９５】
一方、上記ステップ１２４で否定判定となった場合はステップ１２８に移行してセレクタ２８に対して近距離用調光センサ７２からの受光信号を積分器３６に出力するように設定した後、ステップ１３２を実行する。
【００９６】
以上詳細に説明したように、本実施の形態に係るデジタルカメラ１０Ｃによれば、各々被写体からの光量を互いに異なる条件によって検出するための２つの調光センサを備えておき、撮像時の周囲の光量不足を補うためのストロボを発光するとき、被写体の状態を示す状態情報に応じて上記２つの調光センサから適用する調光センサを選択し、ストロボの発光時に、選択された調光センサによる検出結果に基づく光量が調光レベルに達したか否かを判断し、調光レベルに達したと判断されたときにストロボの発光を停止させるようにしているので、被写体の状態によらず高精度な調光制御を行うことができる。
【００９７】
特に、本実施の形態のデジタルカメラ１０では、上記２つの調光センサを互いに検出可能な方向が異なるものにすると共に、上記被写体の状態を示す状態情報として被写体までの距離を適用し、当該距離に応じて調光センサを選択的に用いているので、被写体までの距離の状態によらず、高精度な調光制御を行うことができる。
【００９８】
なお、上記各実施の形態で説明した撮影処理プログラム（図３、図６及び図１０参照）の処理の流れは一例であり、本発明の主旨を逸脱しない範囲内において適宜変更可能であることは言うまでもない。
【００９９】
また、本実施の形態に係るデジタルカメラ１０の構成（図１、図４及び図８参照）も一例であり、本発明の主旨を逸脱しない範囲内において適宜変更可能であることは言うまでもない。
【０１００】
更に、本発明は上記デジタルカメラに限られるものではなく、様々な撮像装置に適用可能である。
【０１０１】
【発明の効果】
以上説明したように、本発明によれば、各々被写体からの光量を互いに異なる条件によって検出するための複数の検出手段を備えておき、撮像時の周囲の光量不足を補うためのストロボを発光するとき、被写体の状態を示す状態情報に応じて上記複数の検出手段から適用する検出手段を選択し、ストロボの発光時に、選択された検出手段による検出結果に基づく光量が所定レベルに達したか否かを判断し、所定レベルに達したと判断されたときにストロボの発光を停止させるようにしているので、被写体の状態によらず高精度な調光制御を行うことができる、という優れた効果が得られる。
【図面の簡単な説明】
【図１】第１の実施の形態に係るデジタルカメラの構成を示すブロック図である。
【図２】実施の形態に係るデジタルカメラにおいて適用されている調光制御の説明に供するグラフであり、受光光量の積分レベルに対して設定される調光レベル及びストロボの発光停止タイミングを示すグラフである。
【図３】第１の実施の形態に係る撮影処理プログラムの処理の流れを示すフローチャートである。
【図４】第２の実施の形態に係るデジタルカメラの構成を示すブロック図である。
【図５】第２の実施の形態に係る調光センサの構成を示す概略図である。
【図６】第２の実施の形態に係る撮影処理プログラムの処理の流れを示すフローチャートである。
【図７】第２の実施の形態に係る調光センサの他の構成例を説明する概略図である。
【図８】第３の実施の形態に係るデジタルカメラの構成を示すブロック図である。
【図９】第３の実施の形態に係る調光センサの構成を示す概略図である。
【図１０】第３の実施の形態に係る撮影処理プログラムの処理の流れを示すフローチャートである。
【符号の説明】
１０    デジタルカメラ
１２    レンズ（ズームレンズ）
３０    低感度調光センサ（検出手段）
３２    高感度調光センサ（検出手段）
３４    レベル判定部（判断手段）
３８    調光判定部（発光停止手段）
４０    スイッチ部
４４    ストロボ
５２    操作部（感度入力手段）
５４    制御部（取得手段、選択手段、距離計測手段）
６０    大検出角調光センサ（検出手段）
６２    小検出角調光センサ（検出手段）
７０    遠距離用調光センサ（検出手段）
７２    近距離用調光センサ（検出手段）
【図１】
2004222024.tif 000003
【図２】
2004222024.tif 000004
【図３】
2004222024.tif 000005
【図４】
2004222024.tif 000006
【図５】
2004222024.tif 000007
【図６】
2004222024.tif 000008
【図７】
2004222024.tif 000009
【図８】
2004222024.tif 000010
【図９】
2004222024.tif 000011
【図１０】
2004222024.tif 000012